(57)【要約】  表示部の発光むらを補正するむら補正情報を記憶するむら補正情報記憶部（１６４）と、リニア特性を有する映像信号に対し、むら補正情報記憶部（１６４）からむら補正情報を読み出して信号処理を行って表示部の発光むらを補正するむら補正部（１３０）と、を含み、むら補正部（１３０）は、表示部の水平方向または垂直方向に対して補正する第１の補正と、表示部の発光むらが生じている部分に対して補正する第２の補正とを組み合わせて表示部の発光むらを補正する、表示装置が提供される。
2009008497.tif 000002
【特許請求の範囲】
【請求項１】
電流量に応じて自発光する発光素子と映像信号に応じて前記発光素子へ印加する電流を制御する画素回路とを備える画素と、発光させる前記画素を選択する選択信号を所定の走査周期で該画素へ供給する走査線と、前記映像信号を前記画素へ供給するデータ線とがマトリクス状に配置される表示部を備える表示装置であって：
前記表示部の発光むらを補正するむら補正情報を記憶するむら補正情報記憶部と；
リニア特性を有する前記映像信号に対し、前記むら補正情報記憶部から前記むら補正情報を読み出して信号処理を行って、表示部の発光むらを補正するむら補正部と；
を含み、
前記むら補正部は、前記表示部の水平方向または垂直方向で発光むらが生じている部分に対して補正する第１の補正および／または前記表示部の発光むらが生じている部分に対して補正する第２の補正を用いて前記発光むらを補正することを特徴とする、表示装置。
【請求項２】
電流量に応じて自発光する発光素子と映像信号に応じて前記発光素子へ印加する電流を制御する画素回路とを備える画素と、発光させる前記画素を選択する選択信号を所定の走査周期で該画素へ供給する走査線と、前記映像信号を前記画素へ供給するデータ線とがマトリクス状に配置される表示部を備える表示装置の発光むらの補正方法であって：
前記表示部の発光むらを補正するむら補正情報を記憶するむら補正情報記憶ステップと；
リニア特性を有する前記映像信号に対し、前記むら補正情報記憶ステップで記憶した前記むら補正情報を読み出して信号処理を行うむら補正ステップと；
を含み、
前記むら補正ステップは、前記表示部の水平方向または垂直方向で発光むらが生じている部分に対して補正する第１の補正および／または前記表示部の発光むらが生じている部分に対して補正する第２の補正を用いて前記発光むらを補正することを特徴とする、発光むらの補正方法。
【請求項３】
電流量に応じて自発光する発光素子と映像信号に応じて前記発光素子へ印加する電流を制御する画素回路とを備える画素と、発光させる前記画素を選択する選択信号を所定の走査周期で該画素へ供給する走査線と、前記映像信号を前記画素へ供給するデータ線とがマトリクス状に配置される表示部を備える表示装置の制御をコンピュータに実行させるコンピュータプログラムであって：
リニア特性を有する前記映像信号に対し、予め記憶しておいた、前記表示部の発光むらを補正するむら補正情報に基づいて信号処理を行うむら補正ステップを含み、
前記むら補正ステップは、前記表示部の水平方向または垂直方向で発光むらが生じている部分に対して補正する第１の補正および／または前記表示部の発光むらが生じている部分に対して補正する第２の補正を用いて前記発光むらを補正することを特徴とする、コンピュータプログラム。
【発明の詳細な説明】
【技術分野】
【０００１】
本発明は、表示装置、発光むらの補正方法およびコンピュータプログラムに関し、より詳細には、所定の走査周期で画素を選択する走査線と、画素を駆動するための輝度情報を与えるデータ線と、前記輝度情報に基づいて電流量を制御し、電流量に応じて発光素子を発光させる画素回路とが、マトリクス状に配置されて構成されるアクティブマトリクス型の表示装置およびその駆動方法に関する。
【背景技術】
【０００２】
平面で薄型の表示装置として、液晶を用いた液晶表示装置、プラズマを用いたプラズマ表示装置等が実用化されている。【０００３】
液晶表示装置は、バックライトを設け、電圧の印加によって液晶分子の配列を変化させることでバックライトからの光を通過させたり遮断したりすることで画像を表示する表示装置である。また、プラズマ表示装置は、基板内に封入されたガスに対して電圧を印加することでプラズマ状態となり、プラズマ状態から元の状態に戻る際に生じるエネルギーによって発生する紫外線が、蛍光体に照射されることで可視光となり、画像を表示する表示装置である。【０００４】
一方、近年においては、電圧を印加すると素子自体が発光する有機ＥＬ（エレクトロルミネッセンス）素子を用いた自発光型の表示装置の開発が進んでいる。有機ＥＬ素子は、電解によってエネルギーを受けると、基底状態から励起状態へ変化し、励起状態から基底状態に戻るときに、差分のエネルギーを光として放出する。有機ＥＬ表示装置は、この有機ＥＬ素子が放出する光を用いて画像を表示する表示装置である。【０００５】
自発光型表示装置は、バックライトを必要とする液晶表示装置とは異なり、素子が自ら発光するためにバックライトを必要としないため、液晶表示装置に比べて薄く構成することが可能である。また、液晶表示装置と比べて、動画特性、視野角特性、色再現性等が優れているため、有機ＥＬ素子を用いた自発光型表示装置は次世代の平面薄型表示装置として注目されている。
【発明の開示】
【発明が解決しようとする課題】
【０００６】
このような自発光型表示装置は、その製造工程において、画素を構成するＴＦＴ（Ｔｈｉｎ  Ｆｉｌｍ  Ｔｒａｎｓｉｓｔｏｒ；薄膜トランジスタ）をレーザー光で露光する工程がある。この露光工程は、１本のレーザー光を光学手段によって扇状に広げ、扇状のレーザー光によって、画像を表示するパネルの垂直方向に配置されたＴＦＴの露光処理を行っている。そして、パネルを水平方向に移動させることで、パネル全体に配置されたＴＦＴに対して露光処理を行う。【０００７】
しかし、レーザー光を扇状に広げていることにより、レーザー光がパネルに対して均一に照射されない場合がある。そのため、製造されたパネルは水平方向や垂直方向に筋状の発光むらを生じやすくなっている。また、水平方向や垂直方向以外にも、局所的に発光むらを生じる場合もある。【０００８】
そこで、本発明は、上記問題に鑑みてなされたものであり、本発明の目的とするところは、水平方向や垂直方向に筋状に生じる発光むらと、局所的に生じる発光むらとを効率的に補正して、発光むらを抑えた画像を表示することが可能な、新規かつ改良された表示装置、発光むらの補正方法およびコンピュータプログラムを提供することにある。
【課題を解決するための手段】
【０００９】
上記課題を解決するために、本発明のある観点によれば、電流量に応じて自発光する発光素子と映像信号に応じて発光素子へ印加する電流を制御する画素回路とを備える画素と、発光させる画素を選択する選択信号を所定の走査周期で該画素へ供給する走査線と、映像信号を画素へ供給するデータ線とがマトリクス状に配置される表示部を備える表示装置であって、表示部の発光むらを補正するむら補正情報を記憶するむら補正情報記憶部と、リニア特性を有する映像信号に対し、むら補正情報記憶部からむら補正情報を読み出して信号処理を行って、表示部の発光むらを補正するむら補正部と、を含み、むら補正部は、表示部の水平方向または垂直方向で発光むらが生じている部分に対して補正する第１の補正および／または表示部の発光むらが生じている部分に対して補正する第２の補正を用いて発光むらを補正することを特徴とする、表示装置が提供される。【００１０】
かかる構成によれば、補正情報記憶部には表示部の発光むらを補正するむら補正情報を記憶されており、むら補正部はリニア特性を有する映像信号に対し、むら補正情報記憶部からむら補正情報を読み出して信号処理を行って、表示部の発光むらを補正する。そして、むら補正部は表示部の水平方向または垂直方向で発光むらが生じている部分に対して補正する第１の補正および／または表示部の発光むらが生じている部分に対して補正する第２の補正を用いて発光むらを補正する。その結果、水平方向や垂直方向に筋状に生じる発光むらと、局所的に生じる発光むらとを効率的に補正することができる。【００１１】
また、上記課題を解決するために、本発明の別の観点によれば、電流量に応じて自発光する発光素子と映像信号に応じて発光素子へ印加する電流を制御する画素回路とを備える画素と、発光させる画素を選択する選択信号を所定の走査周期で該画素へ供給する走査線と、映像信号を画素へ供給するデータ線とがマトリクス状に配置される表示部を備える表示装置の発光むらの補正方法であって、表示部の発光むらを補正するむら補正情報を記憶するむら補正情報記憶ステップと、リニア特性を有する映像信号に対し、むら補正情報記憶ステップで記憶したむら補正情報を読み出して信号処理を行って表示部の発光むらを補正するむら補正ステップと、を含み、むら補正ステップは、表示部の水平方向または垂直方向で発光むらが生じている部分に対して補正する第１の補正および／または表示部の発光むらが生じている部分に対して補正する第２の補正を用いて発光むらを補正することを特徴とする、発光むらの補正方法が提供される。【００１２】
また、上記課題を解決するために、本発明の別の観点によれば、電流量に応じて自発光する発光素子と映像信号に応じて発光素子へ印加する電流を制御する画素回路とを備える画素と、発光させる画素を選択する選択信号を所定の走査周期で該画素へ供給する走査線と、映像信号を画素へ供給するデータ線とがマトリクス状に配置される表示部を備える表示装置の制御をコンピュータに実行させるコンピュータプログラムであって、リニア特性を有する映像信号に対し、予め記憶しておいた、表示部の発光むらを補正するむら補正情報に基づいて信号処理を行うむら補正ステップを含み、むら補正ステップは、表示部の水平方向または垂直方向で発光むらが生じている部分に対して補正する第１の補正および／または表示部の発光むらが生じている部分に対して補正する第２の補正を用いて発光むらを補正することを特徴とする、コンピュータプログラムが提供される。
【発明の効果】
【００１３】
以上説明したように本発明によれば、水平方向や垂直方向に筋状に生じる発光むらと、局所的に生じる発光むらとを効率的に補正して、発光むらを抑えた画像を表示することが可能な、新規かつ改良された表示装置、発光むらの補正方法およびコンピュータプログラムを提供することができる。
【図面の簡単な説明】
【００１４】
【図１】図１は、本発明の一実施形態にかかる表示装置１００の構成について説明する説明図である。
【図２Ａ】図２Ａは、本発明の一実施形態にかかる表示装置１００を流れる信号の特性の移り変わりをグラフで説明する説明図である。
【図２Ｂ】図２Ｂは、本発明の一実施形態にかかる表示装置１００を流れる信号の特性の移り変わりをグラフで説明する説明図である。
【図２Ｃ】図２Ｃは、本発明の一実施形態にかかる表示装置１００を流れる信号の特性の移り変わりをグラフで説明する説明図である。
【図２Ｄ】図２Ｄは、本発明の一実施形態にかかる表示装置１００を流れる信号の特性の移り変わりをグラフで説明する説明図である。
【図２Ｅ】図２Ｅは、本発明の一実施形態にかかる表示装置１００を流れる信号の特性の移り変わりをグラフで説明する説明図である。
【図２Ｆ】図２Ｆは、本発明の一実施形態にかかる表示装置１００を流れる信号の特性の移り変わりをグラフで説明する説明図である。
【図３】図３は、パネル１５８に設けられる画素回路の断面構造の一例を示す断面図である。
【図４】図４は、５Ｔｒ／１Ｃ駆動回路の等価回路図である。
【図５】図５は、５Ｔｒ／１Ｃ駆動回路の駆動のタイミングチャートである。
【図６Ａ】図６Ａは、５Ｔｒ／１Ｃ駆動回路の各トランジスタのオン／オフ状態等を示す説明図である。
【図６Ｂ】図６Ｂは、５Ｔｒ／１Ｃ駆動回路の各トランジスタのオン／オフ状態等を示す説明図である。
【図６Ｃ】図６Ｃは、５Ｔｒ／１Ｃ駆動回路の各トランジスタのオン／オフ状態等を示す説明図である。
【図６Ｄ】図６Ｄは、５Ｔｒ／１Ｃ駆動回路の各トランジスタのオン／オフ状態等を示す説明図である。
【図６Ｅ】図６Ｅは、５Ｔｒ／１Ｃ駆動回路の各トランジスタのオン／オフ状態等を示す説明図である。
【図６Ｆ】図６Ｆは、５Ｔｒ／１Ｃ駆動回路の各トランジスタのオン／オフ状態等を示す説明図である。
【図６Ｇ】図６Ｇは、５Ｔｒ／１Ｃ駆動回路の各トランジスタのオン／オフ状態等を示す説明図である。
【図６Ｈ】図６Ｈは、５Ｔｒ／１Ｃ駆動回路の各トランジスタのオン／オフ状態等を示す説明図である。
【図６Ｉ】図６Ｉは、５Ｔｒ／１Ｃ駆動回路の各トランジスタのオン／オフ状態等を示す説明図である。
【図７】図７は、２Ｔｒ／１Ｃ駆動回路の等価回路図である。
【図８】図８は、２Ｔｒ／１Ｃ駆動回路の駆動のタイミングチャートである。
【図９Ａ】図９Ａは、２Ｔｒ／１Ｃ駆動回路の各トランジスタのオン／オフ状態等を示す説明図である。
【図９Ｂ】図９Ｂは、２Ｔｒ／１Ｃ駆動回路の各トランジスタのオン／オフ状態等を示す説明図である。
【図９Ｃ】図９Ｃは、２Ｔｒ／１Ｃ駆動回路の各トランジスタのオン／オフ状態等を示す説明図である。
【図９Ｄ】図９Ｄは、２Ｔｒ／１Ｃ駆動回路の各トランジスタのオン／オフ状態等を示す説明図である。
【図９Ｅ】図９Ｅは、２Ｔｒ／１Ｃ駆動回路の各トランジスタのオン／オフ状態等を示す説明図である。
【図９Ｆ】図９Ｆは、２Ｔｒ／１Ｃ駆動回路の各トランジスタのオン／オフ状態等を示す説明図である。
【図１０】図１０は、４Ｔｒ／１Ｃ駆動回路の等価回路図である。
【図１１】図１１は、３Ｔｒ／１Ｃ駆動回路の等価回路図である。
【図１２】図１２は、本発明の一実施形態にかかるムラ補正部１３０の構成について説明する説明図である。
【図１３】図１３は、表示装置１００における発光むらの補正方法の概念について説明する説明図である。
【図１４Ａ】図１４Ａは、画面全面を処理領域としていた従来の格子型補正について示す説明図である。
【図１４Ｂ】図１４Ｂは、発光むらが生じている特定領域のみに処理領域を絞ってスポット補正を行うことを示す説明図である。
【図１５】図１５は、本発明の一実施形態にかかる表示装置１００における発光むらの補正方法による発光むらの補正について、グラフを用いて説明する説明図である。
【図１６】図１６は、パネル１５８に部分的に生じた発光むらを、スポット補正によって補正する場合について説明する説明図である。
【図１７】図１７は、ムラ補正部１３０’の構成について説明する説明図である。
【図１８Ａ】図１８Ａは、低階調側に対してもむら補正を行う場合におけるむら補正の様子を示す説明図である。
【図１８Ｂ】図１８Ｂは、低階調側に対してはむら補正を行わないようにした場合におけるむら補正の様子を示す説明図である。
【符号の説明】
【００１５】
１００    表示装置
１０４    制御部
１０６    記録部
１１０    信号処理集積回路
１１２    エッジぼかし部
１１４    Ｉ／Ｆ部
１１６    リニア変換部
１１８    パターン生成部
１２０    色温度調整部
１２２    静止画検波部
１２４    長期色温度補正部
１２６    発光時間制御部
１２８    信号レベル補正部
１３０    ムラ補正部
１３２    ガンマ変換部
１３４    ディザ処理部
１３６    信号出力部
１３８    長期色温度補正検波部
１４０    ゲートパルス出力部
１４２    ガンマ回路制御部
１５０    記憶部
１５２    データドライバ
１５４    ガンマ回路
１５６    過電流検出部
１５８    パネル
１６２    レベル検出部
１６４    ムラ補正情報記憶部
１６６、１６８    補間部
１７０    加算器
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。【００１７】
まず、本発明の一実施形態にかかる表示装置の構成について説明する。図１は、本発明の一実施形態にかかる表示装置１００の構成について説明する説明図である。以下、図１を用いて本発明の一実施形態にかかる表示装置１００の構成について説明する。【００１８】
図１に示したように、本発明の一実施形態にかかる表示装置１００は、制御部１０４と、記録部１０６と、信号処理集積回路１１０と、記憶部１５０と、データドライバ１５２と、ガンマ回路１５４と、過電流検出部１５６と、パネル１５８と、を含んで構成される。【００１９】
そして信号処理集積回路１１０は、エッジぼかし部１１２と、Ｉ／Ｆ部１１４と、リニア変換部１１６と、パターン生成部１１８と、色温度調整部１２０と、静止画検波部１２２と、長期色温度補正部１２４と、発光時間制御部１２６と、信号レベル補正部１２８と、ムラ補正部１３０と、ガンマ変換部１３２と、ディザ処理部１３４と、信号出力部１３６と、長期色温度補正検波部１３８と、ゲートパルス出力部１４０と、ガンマ回路制御部１４２と、を含んで構成される。【００２０】
表示装置１００は、映像信号の供給を受けると、その映像信号を分析して、分析した内容に従って、後述するパネル１５８の内部に配置される画素を点灯することで、パネル１５８を通じて映像を表示するものである。【００２１】
制御部１０４は、信号処理集積回路１１０の制御を行うものであり、Ｉ／Ｆ部１１４との間で信号の授受を行う。また、制御部１０４はＩ／Ｆ部１１４から受け取った信号に対して各種信号処理を行う。制御部１０４で行う信号処理には、例えばパネル１５８に表示する画像の輝度の調整に用いるゲインの算出がある。【００２２】
記録部１０６は、制御部１０４において信号処理集積回路１１０を制御するための情報を格納するためのものである。記録部１０６として、表示装置１００の電源が切れている状態でも情報が消えずに格納することができるメモリを用いることが好ましい。記録部１０６として採用するメモリとして、例えば電気的に内容を書き換えることができるＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いることが望ましい。ＥＥＰＲＯＭは基板に実装したままでデータの書き込みや消去を行うことができる不揮発性のメモリであり、刻一刻と変化する表示装置１００の情報を格納するために好適なメモリである。【００２３】
信号処理集積回路１１０は、映像信号を入力し、入力された映像信号に対して信号処理を施すものである。本実施形態では、信号処理集積回路１１０に入力される映像信号はデジタル信号であり、信号幅は１０ビットである。入力した映像信号に対する信号処理は、信号処理集積回路１１０の内部の各部で行う。【００２４】
エッジぼかし部１１２は、入力された映像信号に対してエッジをぼかすための信号処理を行うものである。具体的には、エッジぼかし部１１２は、パネル１５８への画像の焼き付き現象を防ぐために、画像を意図的にずらすことでエッジをぼかして、画像の焼き付き現象を抑えるものである。【００２５】
リニア変換部１１６は、入力に対する出力がガンマ特性を有する映像信号を、ガンマ特性からリニア特性を有するように変換する信号処理を行うものである。リニア変換部１１６で入力に対する出力がリニア特性を有するように信号処理を行うことで、パネル１５８で表示する画像に対する様々な処理が容易になる。リニア変換部１１６での信号処理によって、映像信号の信号幅が１０ビットから１４ビットに拡がる。リニア変換部１１６でリニア特性を有するように映像信号を変換すると、後述するガンマ変換部１３２においてガンマ特性を有するように変換する。【００２６】
パターン生成部１１８は、表示装置１００の内部の画像処理で使用するテストパターンを生成するものである。表示装置１００の内部の画像処理で使用するテストパターンとしては、例えばパネル１５８の表示検査に用いるテストパターンがある。【００２７】
色温度調整部１２０は、画像の色温度の調整を行うものであり、表示装置１００のパネル１５８で表示する色の調整を行うものである。図１には図示していないが、表示装置１００には色温度を調整するための色温度調整手段を備えており、利用者が色温度調整手段を操作することで、画面に表示される画像の色温度を手動で調整することができる。【００２８】
長期色温度補正部１２４は、有機ＥＬ素子のＲ（赤）、Ｇ（緑）、Ｂ（青）各色の輝度・時間特性（ＬＴ特性）が異なることによる経年変化を補正するものである。有機ＥＬ素子には、Ｒ、Ｇ、Ｂ各色のＬＴ特性が異なるため、発光時間の経過に伴って色のバランスが崩れてくる。その色のバランスを補正するものである。【００２９】
発光時間制御部１２６は、映像をパネル１５８に表示する際のパルスのデューティ比を算出して、有機ＥＬ素子の発光時間を制御するものである。表示装置１００は、パルスがＨＩ状態の間にパネル１５８内部の有機ＥＬ素子に対して電流を流すことで、有機ＥＬ素子を発光させて画像の表示を行う。【００３０】
信号レベル補正部１２８は、画像の焼き付き現象を防ぐために、映像信号の信号レベルを補正することでパネル１５８に表示する映像の輝度を調整するものである。画像の焼き付き現象は、特定の画素の発光頻度が他の画素に比べて高い場合に生じる発光特性の劣化現象のことであり、劣化してしまった画素は他の劣化していない画素に比べて輝度の低下を招いて、周辺の劣化していない部分との輝度差が大きくなる。この輝度の差によって、画面に文字が焼き付いてしまったように見える。【００３１】
信号レベル補正部１２８は、映像信号と発光時間制御部１２６で算出されたパルスのデューティ比とから各画素または画素群の発光量を算出し、算出した発光量に基づいて、必要に応じて輝度を落とすためのゲインを算出し、算出したゲインを映像信号に乗じるものである。【００３２】
長期色温度補正検波部１３８は、長期色温度補正部１２４で補正するための情報を検知するものである。長期色温度補正検波部１３８で検知した情報は、Ｉ／Ｆ部１１４を通じて制御部１０４に送られ、制御部１０４を経由して記録部１０６に記録される。【００３３】
ムラ補正部１３０は、パネル１５８に表示される画像や映像のムラを補正するものである。ムラ補正部１３０において、パネル１５８の横筋、縦筋および画面に局所的に生じる発光むらを、入力信号のレベルや座標位置を基準にして補正を行う。【００３４】
ガンマ変換部１３２は、リニア変換部１１６でリニア特性を有するように変換した映像信号に対してガンマ特性を有するように変換する信号処理を施すものである。ガンマ変換部１３２で行う信号処理は、パネル１５８が有するガンマ特性をキャンセルし、信号の電流に応じてパネル１５８の内部の有機ＥＬ素子が発光するようにリニア特性を有するような信号に変換する信号処理である。ガンマ変換部１３２で信号処理を行うことで、信号幅が１４ビットから１２ビットに変化する。【００３５】
ディザ処理部１３４は、ガンマ変換部１３２で変換された信号に対してディザリングを施すものである。ディザリングは、使用可能な色数が少ない環境で中間色を表現するために、表示可能な色を組み合わせて表示することである。ディザ処理部１３４でディザリングを行うことで、本来パネル上では表示できない色を、見かけ上作り出して表現することができる。ディザ処理部１３４でのディザリングによって、信号幅が１２ビットから１０ビットに変化する。【００３６】
信号出力部１３６は、ディザ処理部１３４でディザリングが施された後の信号をデータドライバ１５２に対して出力するものである。信号出力部１３６からデータドライバ１５２に渡される信号はＲ、Ｇ、Ｂ各色の発光量に関する情報が乗った信号であり、発光時間の情報が乗った信号はゲートパルス出力部１４０からパルスの形式で出力される。【００３７】
ゲートパルス出力部１４０は、パネル１５８の発光時間を制御するパルスを出力するものである。ゲートパルス出力部１４０から出力されるパルスは、発光時間制御部１２６で算出したデューティ比によるパルスである。ゲートパルス出力部１４０からのパルスによって、パネル１５８での各画素の発光時間が決定される。【００３８】
ガンマ回路制御部１４２は、ガンマ回路１５４に設定値を与えるものである。ガンマ回路制御部１４２が与える設定値は、データドライバ１５２の内部に含まれるＤ／Ａ変換器のラダー抵抗に与えるための基準電圧である。【００３９】
記憶部１５０は、信号レベル補正部１２８で輝度を補正する際に必要となる、所定の輝度を上回って発光している画素または画素群の情報と、当該上回っている量の情報とを対応付けて格納しているものである。記憶部１５０としては、記録部１０６とは異なり、電源が切れると内容が消去されるようなメモリを用いてもよく、そのようなメモリとして、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）を用いることが望ましい。【００４０】
過電流検出部１５６は、基板のショート等で過電流が生じた場合にその過電流を検出し、ゲートパルス出力部１４０に通知するものである。過電流検出部１５６からの過電流発生通知により、過電流が生じた場合にその過電流がパネル１５８に印加されるのを防ぐことができる。【００４１】
データドライバ１５２は、信号出力部１３６から受け取った信号に対して信号処理を行い、パネル１５８に対して、パネル１５８で映像を表示するための信号を出力するものである。データドライバ１５２には、図示しないが、Ｄ／Ａ変換器が含まれており、Ｄ／Ａ変換器はデジタル信号をアナログ信号に変換して出力する。【００４２】
ガンマ回路１５４は、データドライバ１５２の内部に含まれるＤ／Ａ変換器のラダー抵抗に基準電圧を与えるものである。ラダー抵抗に与えるための基準電圧は、上述のようにガンマ回路制御部１４２で生成される。【００４３】
パネル１５８は、データドライバ１５２からの出力信号およびゲートパルス出力部１４０からの出力パルスを入力し、入力した信号およびパルスに応じて、自発光素子の一例である有機ＥＬ素子を発光させて動画像や静止画像を表示するものである。パネル１５８は、画像を表示する面の形状が平面である。有機ＥＬ素子は電圧を印加すると発光する自発光型の素子であり、その発光量は電圧に比例する。従って、有機ＥＬ素子のＩＬ特性（電流−発光量特性）も比例関係を有することとなる。【００４４】
パネル１５８には、図示しないが、所定の走査周期で画素を選択する走査線と、画素を駆動するための輝度情報を与えるデータ線と、輝度情報に基づいて電流量を制御し、電流量に応じて発光素子である有機ＥＬ素子を発光させる画素回路とが、マトリクス状に配置されて構成されており、このように走査線、データ線および画素回路が構成されていることで、表示装置１００は映像信号に従って映像を表示することができる。【００４５】
以上、図１を用いて本発明の一実施形態にかかる表示装置１００の構成について説明した。なお、図１に示した本発明の一実施形態にかかる表示装置１００は、リニア変換部１１６でリニア特性を有するように映像信号を変換した後、変換後の映像信号をパターン生成部１１８に入力したが、パターン生成部１１８とリニア変換部１１６とを入れ替えてもよい。【００４６】
次に、本発明の一実施形態にかかる表示装置１００を流れる信号の特性の移り変わりについて説明する。図２Ａ〜Ｆは、本発明の一実施形態にかかる表示装置１００を流れる信号の特性の移り変わりをグラフで説明する説明図である。図２Ａ〜Ｆの各グラフは、横軸を入力、縦軸を出力として示している。【００４７】
図２Ａは、被写体を入力した際に、被写体の光量に対する出力Ａがガンマ特性を有する映像信号に対して、リニア変換部１１６で逆のガンマ曲線（リニアガンマ）を掛け合わせることで、被写体の光量に対する出力がリニア特性を有するように映像信号を変換したことを示している。【００４８】
図２Ｂは、被写体の光量の入力に対する出力Ｂの特性がリニア特性を有するように変換した映像信号に対して、ガンマ変換部１３２でガンマ曲線を掛け合わせることで、被写体の光量の入力に対する出力がガンマ特性を有するように映像信号を変換したことを示している。【００４９】
図２Ｃは、被写体の光量の入力に対する出力Ｃの特性がガンマ特性を有するように変換した映像信号に対して、データドライバ１５２におけるＤ／Ａ変換が行われたことを示している。Ｄ／Ａ変換は、入力と出力との関係がリニア特性を有している。従って、データドライバ１５２によってＤ／Ａ変換が施されることによって、被写体の光量を入力すると、出力電圧はガンマ特性を有する。【００５０】
図２Ｄは、Ｄ／Ａ変換が施された後の映像信号が、パネル１５８に含まれるトランジスタに入力されることによって、両者のガンマ特性が打ち消されることを示している。トランジスタのＶＩ特性は、被写体の光量の入力に対する出力電圧のガンマ特性と逆のカーブを有するガンマ特性である。従って、被写体の光量を入力すると出力電流がリニア特性を有するように再び変換することができる。【００５１】
図２Ｅは、被写体の光量を入力すると出力電流がリニア特性を有する信号がパネル１５８に入力されることで、当該リニア特性を有する信号と、上述したようにリニア特性を有する有機ＥＬ素子のＩＬ特性とが掛け合わされることを示している。【００５２】
その結果、図２Ｆに示したように、被写体の光量を入力すると、パネル（ＯＬＥＤ；Ｏｒｇａｎｉｃ  Ｌｉｇｈｔ  Ｅｍｉｔｔｉｎｇ  Ｄｉｏｄｅ）の発光量がリニア特性を有しているため、リニア変換部１１６で逆のガンマ曲線を掛け合わせてリニア特性を有するように映像信号を変換することで、図１に示した信号処理集積回路１１０におけるリニア変換部１１６からガンマ変換部１３２の間をリニア領域として信号処理することが可能となる。【００５３】
以上、本発明の一実施形態にかかる表示装置１００を流れる信号の信号特性の移り変わりについて説明した。【００５４】
［画素回路構造］
続いて、図１に図示したパネル１５８に設けられる画素回路の構造の一例について説明する。【００５５】
図３は、図１に図示したパネル１５８に設けられる画素回路の断面構造の一例を示す断面図である。図３に示すように、パネル１５８に設けられる画素回路は、駆動トランジスタ１０２２等を含む駆動回路が形成されたガラス基板１２０１上に絶縁膜１２０２、絶縁平坦化膜１２０３およびウインド絶縁膜１２０４がその順に形成され、当該ウインド絶縁膜１２０４の凹部１２０４Ａに有機ＥＬ素子１０２１が設けられた構成となっている。ここでは、駆動回路の各構成素子のうち、駆動トランジスタ１０２２のみを図示し、他の構成素子については省略して示している。【００５６】
有機ＥＬ素子１０２１は、上記ウインド絶縁膜１２０４の凹部１２０４Ａの底部に形成された金属等からなるアノード電極１２０５と、当該アノード電極１２０５上に形成された有機層（電子輸送層、発光層、ホール輸送層/ホール注入層）１２０６と、当該有機層１２０６上に全画素共通に形成された透明導電膜等からなるカソード電極１２０７とから構成されている。【００５７】
この有機ＥＬ素子１０２１において、有機層１２０６は、アノード電極１２０５上にホール輸送層／ホール注入層２０６１、発光層２０６２、電子輸送層２０６３および電子注入層（図示せず）が順次堆積されることによって形成される。そして、駆動トランジスタ１０２２による電流駆動の下に、駆動トランジスタ１０２２からアノード電極１２０５を通して有機層１２０６に電流が流れることで、当該有機層１２０６内の発光層２０６２において電子と正孔が再結合する際に発光するようになっている。【００５８】
駆動トランジスタ１０２２は、ゲート電極１２２１と、半導体層１２２２の一方側に設けられたソース／ドレイン領域１２２３と、半導体層１２２２の他方側に設けられたドレイン／ソース領域１２２４と、半導体層１２２２のゲート電極１２２１と対向する部分のチャネル形成領域１２２５とから構成されている。ソース／ドレイン領域１２２３は、コンタクトホールを介して有機ＥＬ素子１０２１のアノード電極１２０５と電気的に接続されている。【００５９】
そして、図３に示すように、駆動トランジスタ１０２２を含む駆動回路が形成されたガラス基板１２０１上に、絶縁膜１２０２、絶縁平坦化膜１２０３およびウインド絶縁膜１２０４を介して有機ＥＬ素子１０２１が画素単位で形成された後は、パッシベーション膜１２０８を介して封止基板１２０９が接着剤１２１０によって接合され、当該封止基板１２０９によって有機ＥＬ素子１０２１が封止されることにより、パネル１５８が形成される。【００６０】
［駆動回路］
続いて、図１に図示したパネル１５８に設けられる駆動回路の構成の一例について説明する。【００６１】
図４等に示す、有機ＥＬ素子を備えた発光部ＥＬＰを駆動するための駆動回路として各種の回路があるが、以下、５トランジスタ／１容量部から基本的に構成された駆動回路（以下、５Ｔｒ／１Ｃ駆動回路と呼ぶ場合がある）、４トランジスタ／１容量部から基本的に構成された駆動回路（以下、４Ｔｒ／１Ｃ駆動回路と呼ぶ場合がある）、３トランジスタ／１容量部から基本的に構成された駆動回路（以下、３Ｔｒ／１Ｃ駆動回路と呼ぶ場合がある）、２トランジスタ／１容量部から基本的に構成された駆動回路（以下、２Ｔｒ／１Ｃ駆動回路と呼ぶ場合がある）に共通する事項を、先ず説明する。【００６２】
便宜上、駆動回路を構成する各トランジスタは、原則として、ｎチャネル型の薄膜トランジスタ（ＴＦＴ）から構成されているとして説明する。但し、場合によっては、一部のトランジスタをｐチャネル型のＴＦＴから構成することもできる。尚、半導体基板等にトランジスタを形成した構成とすることもできる。駆動回路を構成するトランジスタの構造は、特に限定するものではない。以下の説明においては、駆動回路を構成するトランジスタはエンハンスメント型であるとして説明するが、これに限るものではない。デプレッション型のトランジスタが用いられていてもよい。また、駆動回路を構成するトランジスタはシングルゲート型であってもよいし、デュアルゲート型であってもよい。【００６３】
以下の説明において、表示装置は、（Ｎ／３）×Ｍ個の２次元マトリクス状に配列された画素から構成され、１つの画素は、３つの副画素（赤色を発光する赤色発光副画素、緑色を発光する緑色発光副画素、青色を発光する青色発光副画素）から構成されているとする。また、各画素を構成する発光素子は、線順次駆動されるとし、表示フレームレートをＦＲ（回／秒）とする。即ち、第ｍ行目（但し、ｍ＝１，２，３・・・Ｍ）に配列された（Ｎ／３）個の画素、より具体的には、Ｎ個の副画素のそれぞれを構成する発光素子が同時に駆動される。換言すれば、１つの行を構成する各発光素子にあっては、その発光／非発光のタイミングは、それらが属する行単位で制御される。尚、１つの行を構成する各画素について映像信号を書き込む処理は、全ての画素について同時に映像信号を書き込む処理（以下、単に、同時書込み処理と呼ぶ場合がある）であってもよいし、各画素毎に順次映像信号を書き込む処理（以下、単に、順次書込み処理と呼ぶ場合がある）であってもよい。いずれの書込み処理とするかは、駆動回路の構成に応じて適宜選択すればよい。【００６４】
ここで、原則として、第ｍ行目、第ｎ列（但し、ｎ＝１，２，３・・・Ｎ）に位置する発光素子に関する駆動、動作を説明するが、係る発光素子を、以下、第（ｎ，ｍ）番目の発光素子あるいは第（ｎ，ｍ）番目の副画素と呼ぶ。そして、第ｍ行目に配列された各発光素子の水平走査期間（第ｍ番目の水平走査期間）が終了するまでに、各種の処理（後述する閾値電圧キャンセル処理、書込み処理、移動度補正処理）が行われる。尚、書込み処理や移動度補正処理は、第ｍ番目の水平走査期間内に行われる必要がある。一方、駆動回路の種類によっては、閾値電圧キャンセル処理やこれに伴う前処理を第ｍ番目の水平走査期間より先行して行うことができる。【００６５】
そして、上述した各種の処理が全て終了した後、第ｍ行目に配列された各発光素子を構成する発光部を発光させる。尚、上述した各種の処理が全て終了した後、直ちに発光部を発光させてもよいし、所定の期間（例えば、所定の行数分の水平走査期間）が経過した後に発光部を発光させてもよい。この所定の期間は、表示装置の仕様や駆動回路の構成等に応じて、適宜設定することができる。尚、以下の説明においては、説明の便宜のため、各種の処理終了後、直ちに発光部を発光させるものとする。そして、第ｍ行目に配列された各発光素子を構成する発光部の発光は、第（ｍ＋ｍ’）行目に配列された各発光素子の水平走査期間の開始直前まで継続される。ここで、「ｍ’」は、表示装置の設計仕様によって決定される。即ち、或る表示フレームの第ｍ行目に配列された各発光素子を構成する発光部の発光は、第（ｍ＋ｍ’−１）番目の水平走査期間まで継続される。一方、第（ｍ＋ｍ’）番目の水平走査期間の始期から、次の表示フレームにおける第ｍ番目の水平走査期間内において書込み処理や移動度補正処理が完了するまで、第ｍ行目に配列された各発光素子を構成する発光部は、原則として非発光状態を維持する。上述した非発光状態の期間（以下、単に、非発光期間と呼ぶ場合がある）を設けることにより、アクティブマトリクス駆動に伴う残像ボケが低減され、動画品位をより優れたものとすることができる。但し、各副画素（発光素子）の発光状態／非発光状態は、以上に説明した状態に限定するものではない。また、水平走査期間の時間長は、（１／ＦＲ）×（１／Ｍ）秒未満の時間長である。（ｍ＋ｍ’）の値がＭを越える場合、越えた分の水平走査期間は、次の表示フレームにおいて処理される。【００６６】
１つのトランジスタの有する２つのソース／ドレイン領域において、「一方のソース／ドレイン領域」という用語を、電源部に接続された側のソース／ドレイン領域といった意味において使用する場合がある。また、トランジスタがオン状態にあるとは、ソース／ドレイン領域間にチャネルが形成されている状態を意味する。係るトランジスタの一方のソース／ドレイン領域から他方のソース／ドレイン領域に電流が流れているか否かは問わない。一方、トランジスタがオフ状態にあるとは、ソース／ドレイン領域間にチャネルが形成されていない状態を意味する。また、或るトランジスタのソース／ドレイン領域が他のトランジスタのソース／ドレイン領域に接続されているとは、或るトランジスタのソース／ドレイン領域と他のトランジスタのソース／ドレイン領域とが同じ領域を占めている形態を包含する。更には、ソース／ドレイン領域は、不純物を含有したポリシリコンやアモルファスシリコン等の導電性物質から構成することができるだけでなく、金属、合金、導電性粒子、これらの積層構造、有機材料（導電性高分子）から成る層から構成することができる。また、以下の説明で用いるタイミングチャートにおいて、各期間を示す横軸の長さ（時間長）は模式的なものであり、各期間の時間長の割合を示すものではない。【００６７】
図４等に示す駆動回路を用いた発光部ＥＬＰの駆動方法は、例えば、
（ａ）第１ノードＮＤ1と第２ノードＮＤ2との間の電位差が、駆動トランジスタＴＲDの閾値電圧を越え、且つ、第２ノードＮＤ2と発光部ＥＬＰに備えられたカソード電極との間の電位差が、発光部ＥＬＰの閾値電圧を越えないように、第１ノードＮＤ1に第１ノード初期化電圧を印加し、第２ノードＮＤ2に第２ノードＮＤ2初期化電圧を印加する前処理を行い、次いで、
（ｂ）第１ノードＮＤ1の電位を保った状態で、第１ノードＮＤ1の電位から駆動トランジスタＴＲDの閾値電圧を減じた電位に向かって、第２ノードＮＤ2の電位を変化させる閾値電圧キャンセル処理を行い、その後、
（ｃ）走査線ＳＣＬからの信号によりオン状態とされた書込みトランジスタＴＲWを介して、データ線ＤＴＬから映像信号を第１ノードＮＤ1に印加する書込み処理を行い、次いで、
（ｄ）走査線ＳＣＬからの信号により書込みトランジスタＴＲWをオフ状態とすることにより第１ノードＮＤ1を浮遊状態とし、電源部２１００から駆動トランジスタＴＲDを介して、第１ノードＮＤ1と第２ノードＮＤ2との間の電位差の値に応じた電流を発光部ＥＬＰに流すことにより、発光部ＥＬＰを駆動する、
工程から成る。【００６８】
上述したように、前記工程（ｂ）において、第１ノードＮＤ1の電位から駆動トランジスタＴＲDの閾値電圧を減じた電位に向かって、第２ノードＮＤ2の電位を変化させる閾値電圧キャンセル処理を行なう。より具体的には、第１ノードＮＤ1の電位から駆動トランジスタＴＲDの閾値電圧を減じた電位に向かって第２ノードＮＤ2の電位を変化させるために、前記工程（ａ）における第２ノードＮＤ2の電位に駆動トランジスタＴＲDの閾値電圧を加えた電圧を超える電圧を、駆動トランジスタＴＲDの一方のソース／ドレイン領域に印加する。定性的には、閾値電圧キャンセル処理において、第１ノードＮＤ1と第２ノードＮＤ2との間の電位差（換言すれば、駆動トランジスタＴＲDのゲート電極とソース領域との間の電位差）が駆動トランジスタＴＲDの閾値電圧に近づく程度は、閾値電圧キャンセル処理の時間により左右される。従って、例えば閾値電圧キャンセル処理の時間を充分長く確保した形態にあっては、第２ノードＮＤ2の電位は第１ノードＮＤ1の電位から駆動トランジスタＴＲDの閾値電圧を減じた電位に達する。そして、第１ノードＮＤ1と第２ノードＮＤ2との間の電位差は駆動トランジスタＴＲDの閾値電圧に達し、駆動トランジスタＴＲDはオフ状態となる。一方、例えば閾値電圧キャンセル処理の時間を短く設定せざるを得ない形態にあっては、第１ノードＮＤ1と第２ノードＮＤ2との間の電位差が駆動トランジスタＴＲDの閾値電圧より大きく、駆動トランジスタＴＲDはオフ状態とはならない場合がある。閾値電圧キャンセル処理の結果として、必ずしも駆動トランジスタＴＲDがオフ状態となることを要しない。【００６９】
次いで、各駆動回路毎に、駆動回路の構成、及び、これらの駆動回路を用いた発光部ＥＬＰの駆動方法に関して、以下、詳しく説明する。【００７０】
［５Ｔｒ／１Ｃ駆動回路］
５Ｔｒ／１Ｃ駆動回路の等価回路図を図４に示し、図４に示した５Ｔｒ／１Ｃ駆動回路の駆動のタイミングチャートを模式的に図５に示し、図４に示した５Ｔｒ／１Ｃ駆動回路の各トランジスタのオン／オフ状態等を模式的に図６Ａ〜図６Ｉに示す。【００７１】
この５Ｔｒ／１Ｃ駆動回路は、書込みトランジスタＴＲW、駆動トランジスタＴＲD、第１トランジスタＴＲ1、第２トランジスタＴＲ2、第３トランジスタＴＲ3の５つのトランジスタから構成され、更には、１つの容量部Ｃ1から構成されている。尚、書込みトランジスタＴＲW、第１トランジスタＴＲ1、第２トランジスタＴＲ2、及び、第３トランジスタＴＲ3をｐチャネル型のＴＦＴから形成してもよい。なお、図４に示した駆動トランジスタＴＲDは、図３で図示した駆動トランジスタ１０２２に相当するものである。【００７２】
［第１トランジスタＴＲ1］
第１トランジスタＴＲ1の一方のソース／ドレイン領域は、電源部２１００（電圧ＶCC）に接続され、第１トランジスタＴＲ1の他方のソース／ドレイン領域は、駆動トランジスタＴＲDの一方のソース／ドレイン領域に接続されている。また、第１トランジスタＴＲ1のオン／オフ動作は、第１トランジスタ制御回路２１１１から伸びて、第１トランジスタＴＲ1のゲート電極に接続された第１トランジスタ制御線ＣＬ1によって制御される。電源部２１００は、発光部ＥＬＰに電流を供給し、発光部ＥＬＰを発光させるために設けられている。【００７３】
［駆動トランジスタＴＲD］
駆動トランジスタＴＲDの一方のソース／ドレイン領域は、上述のとおり、第１トランジスタＴＲ1の他方のソース／ドレイン領域に接続されている。一方、駆動トランジスタＴＲDの他方のソース／ドレイン領域は、
（１）発光部ＥＬＰのアノード電極、
（２）第２トランジスタＴＲ2の他方のソース／ドレイン領域、及び、
（３）容量部Ｃ1の一方の電極、
に接続されており、第２ノードＮＤ2を構成する。また、駆動トランジスタＴＲDのゲート電極は、
（１）書込みトランジスタＴＲWの他方のソース／ドレイン領域、
（２）第３トランジスタＴＲ3の他方のソース／ドレイン領域、及び、
（３）容量部Ｃ1の他方の電極、
に接続されており、第１ノードＮＤ1を構成する。【００７４】
ここで、駆動トランジスタＴＲDは、発光素子の発光状態においては、以下の式（１）に従ってドレイン電流Ｉdsを流すように駆動される。発光素子の発光状態においては、駆動トランジスタＴＲDの一方のソース／ドレイン領域はドレイン領域として働き、他方のソース／ドレイン領域はソース領域として働く。説明の便宜のため、以下の説明において、駆動トランジスタＴＲDの一方のソース／ドレイン領域を単にドレイン領域と呼び、他方のソース／ドレイン領域を単にソース領域と呼ぶ場合がある。尚、
μ  ：実効的な移動度
Ｌ  ：チャネル長
Ｗ  ：チャネル幅
Ｖgs：ゲート電極とソース領域との間の電位差
Ｖth：閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。【００７５】
Ｉds＝ｋ・μ・（Ｖgs−Ｖth）2    （１）【００７６】
このドレイン電流Ｉdsが発光部ＥＬＰを流れることで、発光部ＥＬＰが発光する。更には、このドレイン電流Ｉdsの値の大小によって、発光部ＥＬＰにおける発光状態（輝度）が制御される。【００７７】
［書込みトランジスタＴＲW］
書込みトランジスタＴＲWの他方のソース／ドレイン領域は、上述のとおり、駆動トランジスタＴＲDのゲート電極に接続されている。一方、書込みトランジスタＴＲWの一方のソース／ドレイン領域は、信号出力回路２１０２から伸びるデータ線ＤＴＬに接続されている。そして、データ線ＤＴＬを介して、発光部ＥＬＰにおける輝度を制御するための映像信号ＶSigが、一方のソース／ドレイン領域に供給される。尚、データ線ＤＴＬを介して、ＶSig以外の種々の信号・電圧（プリチャージ駆動のための信号や各種の基準電圧等）が、一方のソース／ドレイン領域に供給されてもよい。また、書込みトランジスタＴＲWのオン／オフ動作は、走査回路２１０１から伸びて、書込みトランジスタＴＲWのゲート電極に接続された走査線ＳＣＬによって制御される。【００７８】
［第２トランジスタＴＲ2］
第２トランジスタＴＲ2の他方のソース／ドレイン領域は、上述のとおり、駆動トランジスタＴＲDのソース領域に接続されている。一方、第２トランジスタＴＲ2の一方のソース／ドレイン領域には、第２ノードＮＤ2の電位（即ち、駆動トランジスタＴＲDのソース領域の電位）を初期化するための電圧ＶSSが供給される。また、第２トランジスタＴＲ2のオン／オフ動作は、第２トランジスタ制御回路２１１２から伸びて、第２トランジスタＴＲ2のゲート電極に接続された第２トランジスタ制御線ＡＺ2によって制御される。【００７９】
［第３トランジスタＴＲ3］
第３トランジスタＴＲ3の他方のソース／ドレイン領域は、上述のとおり、駆動トランジスタＴＲDのゲート電極に接続されている。一方、第３トランジスタＴＲ3の一方のソース／ドレイン領域には、第１ノードＮＤ1の電位（即ち、駆動トランジスタＴＲDのゲート電極の電位）を初期化するための電圧ＶOfsが供給される。また、第３トランジスタＴＲ3のオン／オフ動作は、第３トランジスタ制御回路２１１３から伸びて、第３トランジスタＴＲ3のゲート電極に接続された第３トランジスタ制御線ＡＺ3によって制御される。【００８０】
［発光部ＥＬＰ］
発光部ＥＬＰのアノード電極は、上述のとおり、駆動トランジスタＴＲDのソース領域に接続されている。一方、発光部ＥＬＰのカソード電極には、電圧ＶCatが印加される。発光部ＥＬＰの容量を符号ＣELで表す。また、発光部ＥＬＰの発光に必要とされる閾値電圧をＶth-ELとする。即ち、発光部ＥＬＰのアノード電極とカソード電極との間にＶth-EL以上の電圧が印加されると、発光部ＥＬＰは発光する。【００８１】
以下の説明において、電圧あるいは電位の値を以下のとおりとするが、これは、あくまでも説明のための値であり、これらの値に限定されるものではない。【００８２】
ＶSig  ：発光部ＥＬＰにおける輝度を制御するための映像信号
・・・０ボルト〜１０ボルト
ＶCC  ：電源部２１００の電圧
・・・２０ボルト
ＶOfs  ：駆動トランジスタＴＲDのゲート電極の電位（第１ノードＮＤ1の電位）を初期化するための電圧
・・・０ボルト
ＶSS  ：駆動トランジスタＴＲDのソース領域の電位（第２ノードＮＤ2の電位）を初期化するための電圧
・・・−１０ボルト
Ｖth  ：駆動トランジスタＴＲDの閾値電圧
・・・３ボルト
ＶCat  ：発光部ＥＬＰのカソード電極に印加される電圧
・・・０ボルト
Ｖth-EL：発光部ＥＬＰの閾値電圧
・・・３ボルト【００８３】
以下、５Ｔｒ／１Ｃ駆動回路の動作説明を行う。尚、上述したように、各種の処理（閾値電圧キャンセル処理、書込み処理、移動度補正処理）が全て完了した後、直ちに発光状態が始まるものとして説明するが、これに限るものではない。後述する４Ｔｒ／１Ｃ駆動回路、３Ｔｒ／１Ｃ駆動回路、２Ｔｒ／１Ｃ駆動回路の説明においても同様である。【００８４】
［期間−ＴＰ（５）-1］（図５及び図６Ａ参照）
この［期間−ＴＰ（５）-1］は、例えば、前の表示フレームにおける動作であり、前回の各種の処理完了後に第（ｎ，ｍ）番目の発光素子が発光状態にある期間である。即ち、第（ｎ，ｍ）番目の副画素を構成する発光素子における発光部ＥＬＰには、後述する式（５）に基づくドレイン電流Ｉ’dsが流れており、第（ｎ，ｍ）番目の副画素を構成する発光素子の輝度は、係るドレイン電流Ｉ’dsに対応した値である。ここで、書込みトランジスタＴＲW、第２トランジスタＴＲ2及び第３トランジスタＴＲ3はオフ状態であり、第１トランジスタＴＲ1及び駆動トランジスタＴＲDはオン状態である。第（ｎ，ｍ）番目の発光素子の発光状態は、第（ｍ＋ｍ’）行目に配列された発光素子の水平走査期間の開始直前まで継続される。【００８５】
図５に示す［期間−ＴＰ（５）0］〜［期間−ＴＰ（５）4］は、前回の各種の処理完了後の発光状態が終了した後から、次の書込み処理が行われる直前までの動作期間である。即ち、この［期間−ＴＰ（５）0］〜［期間−ＴＰ（５）4］は、例えば、前の表示フレームにおける第（ｍ＋ｍ’）番目の水平走査期間の始期から、現表示フレームにおける第（ｍ−１）番目の水平走査期間の終期までの或る時間長さの期間である。尚、［期間−ＴＰ（５）1］〜［期間−ＴＰ（５）4］を、現表示フレームにおける第ｍ番目の水平走査期間内に含む構成とすることもできる。【００８６】
そして、この［期間−ＴＰ（５）0］〜［期間−ＴＰ（５）4］において、第（ｎ，ｍ）番目の発光素子は原則として非発光状態にある。即ち、［期間−ＴＰ（５）0］〜［期間−ＴＰ（５）1］、［期間−ＴＰ（５）3］〜［期間−ＴＰ（５）4］においては、第１トランジスタＴＲ1はオフ状態であるので、発光素子は発光しない。尚、［期間−ＴＰ（５）2］においては、第１トランジスタＴＲ1はオン状態となる。しかし、この期間においては後述する閾値電圧キャンセル処理が行われている。閾値電圧キャンセル処理の説明において詳しく述べるが、後述する式（２）を満たすことを前提とすれば、発光素子が発光することはない。【００８７】
以下、［期間−ＴＰ（５）0］〜［期間−ＴＰ（５）4］の各期間について、先ず、説明する。尚、［期間−ＴＰ（５）1］の始期や、［期間−ＴＰ（５）1］〜［期間−ＴＰ（５）4］の各期間の長さは、表示装置の設計に応じて適宜設定すればよい。【００８８】
［期間−ＴＰ（５）0］
上述したように、この［期間−ＴＰ（５）0］において、第（ｎ，ｍ）番目の発光素子は、非発光状態にある。書込みトランジスタＴＲW、第２トランジスタＴＲ2、第３トランジスタＴＲ3はオフ状態である。また、［期間−ＴＰ（５）-1］から［期間−ＴＰ（５）0］に移る時点で、第１トランジスタＴＲ1がオフ状態となるが故に、第２ノードＮＤ2（駆動トランジスタＴＲDのソース領域あるいは発光部ＥＬＰのアノード電極）の電位は、（Ｖth-EL＋ＶCat）まで低下し、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。【００８９】
［期間−ＴＰ（５）1］（図６Ｂ及び図６Ｃ参照）
この［期間−ＴＰ（５）1］において、後述する閾値電圧キャンセル処理を行うための前処理が行われる。即ち、［期間−ＴＰ（５）1］の開始時、第２トランジスタ制御線ＡＺ2及び第３トランジスタ制御線ＡＺ3をハイレベルとすることによって、第２トランジスタＴＲ2及び第３トランジスタＴＲ3をオン状態とする。その結果、第１ノードＮＤ1の電位は、ＶOfs（例えば、０ボルト）となる。一方、第２ノードＮＤ2の電位は、ＶSS（例えば、−１０ボルト）となる。そして、この［期間−ＴＰ（５）1］の完了以前において、第２トランジスタ制御線ＡＺ2をローレベルとすることによって、第２トランジスタＴＲ2をオフ状態とする。尚、第２トランジスタＴＲ2及び第３トランジスタＴＲ3を同時にオン状態としてもよいし、第２トランジスタＴＲ2を先にオン状態としてもよいし、第３トランジスタＴＲ3を先にオン状態としてもよい。【００９０】
以上の処理により、駆動トランジスタＴＲDのゲート電極とソース領域との間の電位差がＶth以上となる。駆動トランジスタＴＲDはオン状態である。【００９１】
［期間−ＴＰ（５）2］（図６Ｄ参照）
次に、閾値電圧キャンセル処理が行われる。即ち、第３トランジスタＴＲ3のオン状態を維持したまま、第１トランジスタ制御線ＣＬ1をハイレベルとすることによって、第１トランジスタＴＲ1をオン状態とする。その結果、第１ノードＮＤ1の電位は変化しないが（ＶOfs＝０ボルトを維持）、第１ノードＮＤ1の電位から駆動トランジスタＴＲDの閾値電圧Ｖthを減じた電位に向かって、第２ノードＮＤ2の電位は変化する。即ち、浮遊状態の第２ノードＮＤ2の電位が上昇する。そして、駆動トランジスタＴＲDのゲート電極とソース領域との間の電位差がＶthに達すると、駆動トランジスタＴＲDがオフ状態となる。具体的には、浮遊状態の第２ノードＮＤ2の電位が（ＶOfs−Ｖth＝−３ボルト＞ＶSS）に近づき、最終的に（ＶOfs−Ｖth）となる。ここで、以下の式（２）が保証されていれば、云い換えれば、式（２）を満足するように電位を選択、決定しておけば、発光部ＥＬＰが発光することはない。【００９２】
（ＶOfs−Ｖth）＜（Ｖth-EL＋ＶCat）    （２）【００９３】
この［期間−ＴＰ（５）2］にあっては、第２ノードＮＤ2の電位は、最終的に、（ＶOfs−Ｖth）となる。即ち、駆動トランジスタＴＲDの閾値電圧Ｖth、及び、駆動トランジスタＴＲDのゲート電極を初期化するための電圧ＶOfsのみに依存して、第２ノードＮＤ2の電位は決定される。云い換えれば、発光部ＥＬＰの閾値電圧Ｖth-ELには依存しない。【００９４】
［期間−ＴＰ（５）3］（図６Ｅ参照）
その後、第３トランジスタＴＲ3のオン状態を維持したまま、第１トランジスタ制御線ＣＬ1をローレベルとすることによって、第１トランジスタＴＲ1をオフ状態とする。その結果、第１ノードＮＤ1の電位は変化せず（ＶOfs＝０ボルトを維持）、浮遊状態の第２ノードＮＤ2の電位も変化せず、（ＶOfs−Ｖth＝−３ボルト）を保持する。【００９５】
［期間−ＴＰ（５）4］（図６Ｆ参照）
次いで、第３トランジスタ制御線ＡＺ3をローレベルとすることによって、第３トランジスタＴＲ3をオフ状態とする。第１ノードＮＤ1及び第２ノードＮＤ2の電位は、実質上、変化しない。実際には、寄生容量等の静電結合により電位変化が生じ得るが、通常、これらは無視することができる。【００９６】
次いで、［期間−ＴＰ（５）5］〜［期間−ＴＰ（５）7］の各期間について説明する。尚、後述するように、［期間−ＴＰ（５）5］において書込み処理が行われ、［期間−ＴＰ（５）6］において移動度補正処理が行われる。上述したように、これらの処理は、第ｍ番目の水平走査期間内に行われる必要がある。説明の便宜のため、［期間−ＴＰ（５）5］の始期と［期間−ＴＰ（５）6］の終期とは、それぞれ、第ｍ番目の水平走査期間の始期と終期とに一致するものとして説明する。【００９７】
［期間−ＴＰ（５）5］（図６Ｇ参照）
その後、駆動トランジスタＴＲDに対する書込み処理を実行する。具体的には、第１トランジスタＴＲ1、第２トランジスタＴＲ2、及び、第３トランジスタＴＲ3のオフ状態を維持したまま、データ線ＤＴＬの電位を、発光部ＥＬＰにおける輝度を制御するための映像信号ＶSigとし、次いで、走査線ＳＣＬをハイレベルとすることによって、書込みトランジスタＴＲWをオン状態とする。その結果、第１ノードＮＤ1の電位は、ＶSigへと上昇する。【００９８】
ここで、容量部Ｃ1の容量を値ｃ1と表し、発光部ＥＬＰの容量ＣELの容量を値ｃELと表す。そして、駆動トランジスタＴＲDのゲート電極とソース領域との間の寄生容量の値をｃgsとする。駆動トランジスタＴＲDのゲート電極の電位がＶOfsからＶSig（＞ＶOfs）に変化したとき、容量部Ｃ1の両端の電位（第１ノードＮＤ1及び第２ノードＮＤ2の電位）は、原則として、変化する。即ち、駆動トランジスタＴＲDのゲート電極の電位（＝第１ノードＮＤ1の電位）の変化分（ＶSig−ＶOfs）に基づく電荷が、容量部Ｃ1、発光部ＥＬＰの容量ＣEL、駆動トランジスタＴＲDのゲート電極とソース領域との間の寄生容量に振り分けられる。然るに、値ｃELが、値ｃ1及び値ｃgsと比較して十分に大きな値であれば、駆動トランジスタＴＲDのゲート電極の電位の変化分（ＶSig−ＶOfs）に基づく駆動トランジスタＴＲDのソース領域（第２ノードＮＤ2）の電位の変化は小さい。そして、一般に、発光部ＥＬＰの容量ＣELの容量値ｃELは、容量部Ｃ1の容量値ｃ1及び駆動トランジスタＴＲDの寄生容量の値ｃgsよりも大きい。そこで、説明の便宜のため、特段の必要がある場合を除き、第１ノードＮＤ1の電位変化により生ずる第２ノードＮＤ2の電位変化は考慮せずに説明を行う。他の駆動回路においても同様である。尚、図５に示した駆動のタイミングチャートも、第１ノードＮＤ1の電位変化により生ずる第２ノードＮＤ2の電位変化を考慮せずに示した。駆動トランジスタＴＲDのゲート電極（第１ノードＮＤ1）の電位をＶg、駆動トランジスタＴＲDのソース領域（第２ノードＮＤ2）の電位をＶsとしたとき、Ｖgの値、Ｖsの値は以下のとおりとなる。それ故、第１ノードＮＤ1と第２ノードＮＤ2の電位差、換言すれば、駆動トランジスタＴＲDのゲート電極とソース領域との間の電位差Ｖgsは、以下の式（３）で表すことができる。【００９９】
Ｖg＝ＶSig
Ｖs≒ＶOfs−Ｖth
Ｖgs≒ＶSig−（ＶOfs−Ｖth）      （３）【０１００】
即ち、駆動トランジスタＴＲDに対する書込み処理において得られたＶgsは、発光部ＥＬＰにおける輝度を制御するための映像信号ＶSig、駆動トランジスタＴＲDの閾値電圧Ｖth、及び、駆動トランジスタＴＲDのゲート電極を初期化するための電圧ＶOfsのみに依存している。そして、発光部ＥＬＰの閾値電圧Ｖth-ELとは無関係である。【０１０１】
［期間−ＴＰ（５）6］（図６Ｈ参照）
その後、駆動トランジスタＴＲDの移動度μの大小に基づく駆動トランジスタＴＲDのソース領域（第２ノードＮＤ2）の電位の補正（移動度補正処理）を行う。【０１０２】
一般に、駆動トランジスタＴＲDをポリシリコン薄膜トランジスタ等から作製した場合、トランジスタ間で移動度μにばらつきが生じることは避け難い。従って、移動度μに差異がある複数の駆動トランジスタＴＲDのゲート電極に同じ値の映像信号ＶSigを印加したとしても、移動度μの大きい駆動トランジスタＴＲDを流れるドレイン電流Ｉdsと、移動度μの小さい駆動トランジスタＴＲDを流れるドレイン電流Ｉdsとの間に、差異が生じてしまう。そして、このような差異が生じると、表示装置の画面の均一性（ユニフォーミティ）が損なわれてしまう。【０１０３】
従って、具体的には、書込みトランジスタＴＲWのオン状態を維持したまま、第１トランジスタ制御線ＣＬ1をハイレベルとすることによって、第１トランジスタＴＲ1をオン状態とし、次いで、所定の時間（ｔ0）が経過した後、走査線ＳＣＬをローレベルとすることによって、書込みトランジスタＴＲWをオフ状態とし、第１ノードＮＤ1（駆動トランジスタＴＲDのゲート電極）を浮遊状態とする。そして、以上の結果、駆動トランジスタＴＲDの移動度μの値が大きい場合、駆動トランジスタＴＲDのソース領域における電位の上昇量ΔＶ（電位補正値）は大きくなり、駆動トランジスタＴＲDの移動度μの値が小さい場合、駆動トランジスタＴＲDのソース領域における電位の上昇量ΔＶ（電位補正値）は小さくなる。ここで、駆動トランジスタＴＲDのゲート電極とソース領域との間の電位差Ｖgsは、式（３）から以下の式（４）のように変形される。【０１０４】
Ｖgs≒ＶSig−（ＶOfs−Ｖth）−ΔＶ      （４）【０１０５】
尚、移動度補正処理を実行するための所定の時間（［期間−ＴＰ（５）6］の全時間ｔ0）は、表示装置の設計の際、設計値として予め決定しておけばよい。また、このときの駆動トランジスタＴＲDのソース領域における電位（ＶOfs−Ｖth＋ΔＶ）が以下の式（２’）を満足するように、［期間−ＴＰ（５）6］の全時間ｔ0は決定されている。そして、これによって、［期間−ＴＰ（５）6］において、発光部ＥＬＰが発光することはない。更には、この移動度補正処理によって、係数ｋ（≡（１／２）・（Ｗ／Ｌ）・Ｃox）のばらつきの補正も同時に行われる。【０１０６】
（ＶOfs−Ｖth＋ΔＶ）＜（Ｖth-EL＋ＶCat）    （２’）【０１０７】
［期間−ＴＰ（５）7］（図６Ｉ参照）
以上の操作によって、閾値電圧キャンセル処理、書込み処理、移動度補正処理が完了する。ところで、走査線ＳＣＬがローレベルとなる結果、書込みトランジスタＴＲWがオフ状態となり、第１ノードＮＤ1、即ち、駆動トランジスタＴＲDのゲート電極は浮遊状態となる。一方、第１トランジスタＴＲ1はオン状態を維持しており、駆動トランジスタＴＲDのドレイン領域は、電源部２１００（電圧ＶCC、例えば２０ボルト）に接続された状態にある。従って、以上の結果として、第２ノードＮＤ2の電位は上昇する。【０１０８】
ここで、上述したとおり、駆動トランジスタＴＲDのゲート電極は浮遊状態にあり、しかも、容量部Ｃ1が存在するが故に、所謂ブートストラップ回路におけると同様の現象が駆動トランジスタＴＲDのゲート電極に生じ、第１ノードＮＤ1の電位も上昇する。その結果、駆動トランジスタＴＲDのゲート電極とソース領域との間の電位差Ｖgsは、式（４）の値を保持する。【０１０９】
また、第２ノードＮＤ2の電位が上昇し、（Ｖth-EL＋ＶCat）を越えるので、発光部ＥＬＰは発光を開始する。このとき、発光部ＥＬＰを流れる電流は、駆動トランジスタＴＲDのドレイン領域からソース領域へと流れるドレイン電流Ｉdsであるので、式（１）で表すことができる。ここで、式（１）と式（４）から、式（１）は、以下の式（５）にように変形することができる。【０１１０】
Ｉds＝ｋ・μ・（ＶSig−ＶOfs−ΔＶ）2    （５）【０１１１】
従って、発光部ＥＬＰを流れる電流Ｉdsは、例えば、ＶOfsを０ボルトに設定したとした場合、発光部ＥＬＰにおける輝度を制御するための映像信号ＶSigの値から、駆動トランジスタＴＲDの移動度μに起因した第２ノードＮＤ2（駆動トランジスタＴＲDのソース領域）における電位補正値ΔＶの値を減じた値の２乗に比例する。云い換えれば、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。そして、第（ｎ，ｍ）番目の発光素子の輝度は、係る電流Ｉdsに対応した値である。【０１１２】
しかも、移動度μの大きな駆動トランジスタＴＲDほど、電位補正値ΔＶが大きくなるので、式（４）の左辺のＶgsの値が小さくなる。従って、式（５）において、移動度μの値が大きくとも、（ＶSig−ＶOfs−ΔＶ）2の値が小さくなる結果、ドレイン電流Ｉdsを補正することができる。即ち、移動度μの異なる駆動トランジスタＴＲDにおいても、映像信号ＶSigの値が同じであれば、ドレイン電流Ｉdsが略同じとなる結果、発光部ＥＬＰを流れ、発光部ＥＬＰの輝度を制御する電流Ｉdsが均一化される。即ち、移動度μのばらつき（更には、ｋのばらつき）に起因する発光部の輝度のばらつきを補正することができる。【０１１３】
発光部ＥＬＰの発光状態を第（ｍ＋ｍ’−１）番目の水平走査期間まで継続する。この時点は、［期間−ＴＰ（５）-1］の終わりに相当する。【０１１４】
以上によって、第（ｎ，ｍ）番目の副画素を構成する発光素子１０の発光の動作が完了する。【０１１５】
次に、２Ｔｒ／１Ｃ駆動回路に関する説明を行う。【０１１６】
［２Ｔｒ／１Ｃ駆動回路］
２Ｔｒ／１Ｃ駆動回路の等価回路図を図７に示し、駆動のタイミングチャートを模式的に図８に示し、各トランジスタのオン／オフ状態等を模式的に図９Ａ〜図９Ｆに示す。【０１１７】
この２Ｔｒ／１Ｃ駆動回路においては、前述した５Ｔｒ／１Ｃ駆動回路から、第１トランジスタＴＲ1、第２トランジスタＴＲ2、及び、第３トランジスタＴＲ3の３つのトランジスタが省略されている。即ち、この２Ｔｒ／１Ｃ駆動回路は、書込みトランジスタＴＲW、及び、駆動トランジスタＴＲDの２つのトランジスタから構成され、更には、１つの容量部Ｃ1から構成されている。なお、図７に示した駆動トランジスタＴＲDは、図３で図示した駆動トランジスタ１０２２に相当するものである。【０１１８】
［駆動トランジスタＴＲD］
駆動トランジスタＴＲDの構成は、５Ｔｒ／１Ｃ駆動回路において説明した駆動トランジスタＴＲDの構成と同じであるので、詳細な説明は省略する。但し、駆動トランジスタＴＲDのドレイン領域は電源部２１００に接続されている。尚、電源部２１００からは、発光部ＥＬＰを発光させるための電圧ＶCC-H、及び、駆動トランジスタＴＲDのソース領域の電位を制御するための電圧ＶCC-Lが供給される。ここで、電圧ＶCC-H及びＶCC-Lの値として、
ＶCC-H＝  ２０ボルト
ＶCC-L＝−１０ボルト
を例示することができるが、これらの値に限定するものではない。【０１１９】
［書込みトランジスタＴＲW］
書込みトランジスタＴＲWの構成は、５Ｔｒ／１Ｃ駆動回路において説明した書込みトランジスタＴＲWの構成と同じであるので、詳細な説明は省略する。【０１２０】
［発光部ＥＬＰ］
発光部ＥＬＰの構成は、５Ｔｒ／１Ｃ駆動回路において説明した発光部ＥＬＰの構成と同じであるので、詳細な説明は省略する。【０１２１】
以下、２Ｔｒ／１Ｃ駆動回路の動作説明を行う。【０１２２】
［期間−ＴＰ（２）-1］（図８及び図９Ａ参照）
この［期間−ＴＰ（２）-1］は、例えば、前の表示フレームにおける動作であり、実質的に、５Ｔｒ／１Ｃ駆動回路において説明した［期間−ＴＰ（５）-1］と同じ動作である。【０１２３】
図８に示す［期間−ＴＰ（２）0］〜［期間−ＴＰ（２）2］は、図５に示す［期間−ＴＰ（５）0］〜［期間−ＴＰ（５）4］に対応する期間であり、次の書込み処理が行われる直前までの動作期間である。そして、５Ｔｒ／１Ｃ駆動回路と同様に、［期間−ＴＰ（２）0］〜［期間−ＴＰ（２）2］において、第（ｎ，ｍ）番目の発光素子は原則として非発光状態にある。但し、２Ｔｒ／１Ｃ駆動回路の動作においては、図８に示すように、［期間−ＴＰ（２）3］の他、［期間−ＴＰ（２）1］〜［期間−ＴＰ（２）2］も第ｍ番目の水平走査期間に包含される点が、５Ｔｒ／１Ｃ駆動回路の動作とは異なる。尚、説明の便宜のため、［期間−ＴＰ（２）1］の始期、及び、［期間−ＴＰ（２）3］の終期は、それぞれ、第ｍ番目の水平走査期間の始期、及び、終期に一致するものとして説明する。【０１２４】
以下、［期間−ＴＰ（２）0］〜［期間−ＴＰ（２）2］の各期間について、説明する。尚、５Ｔｒ／１Ｃ駆動回路において説明したと同様に、［期間−ＴＰ（２）1］〜［期間−ＴＰ（２）3］の各期間の長さは、表示装置の設計に応じて適宜設定すればよい。【０１２５】
［期間−ＴＰ（２）0］（図９Ｂ参照）
この［期間−ＴＰ（２）0］は、例えば、前の表示フレームから現表示フレームにおける動作である。即ち、この［期間−ＴＰ（２）0］は、前の表示フレームにおける第（ｍ＋ｍ’）番目の水平走査期間から、現表示フレームにおける第（ｍ−１）番目の水平走査期間までの期間である。そして、この［期間−ＴＰ（２）0］において、第（ｎ，ｍ）番目の発光素子は、非発光状態にある。ここで、［期間−ＴＰ（２）-1］から［期間−ＴＰ（２）0］に移る時点で、電源部２１００から供給される電圧を、ＶCC-Hから電圧ＶCC-Lに切り替える。その結果、第２ノードＮＤ2の電位はＶCC-Lまで低下し、発光部ＥＬＰは非発光状態となる。また、第２ノードＮＤ2の電位低下に倣うように、浮遊状態の第１ノードＮＤ1（駆動トランジスタＴＲDのゲート電極）の電位も低下する。【０１２６】
［期間−ＴＰ（２）1］（図９Ｃ参照）
そして、現表示フレームにおける第ｍ行目の水平走査期間が開始する。この［期間−ＴＰ（２）1］において、閾値電圧キャンセル処理を行うための前処理が行われる。［期間−ＴＰ（２）1］の開始時、走査線ＳＣＬをハイレベルとすることによって、書込みトランジスタＴＲWをオン状態とする。その結果、第１ノードＮＤ1の電位は、ＶOfs（例えば、０ボルト）となる。第２ノードＮＤ2の電位はＶCC-L（例えば、−１０ボルト）を保持する。【０１２７】
上記の処理により、駆動トランジスタＴＲDのゲート電極とソース領域との間の電位差がＶth以上となり、駆動トランジスタＴＲDはオン状態となる。【０１２８】
［期間−ＴＰ（２）2］（図９Ｄ参照）
次に、閾値電圧キャンセル処理が行われる。即ち、書込みトランジスタＴＲWのオン状態を維持したまま、電源部２１００から供給される電圧を、ＶCC-Lから電圧ＶCC-Hに切り替える。その結果、第１ノードＮＤ1の電位は変化しないが（ＶOfs＝０ボルトを維持）、第１ノードＮＤ1の電位から駆動トランジスタＴＲDの閾値電圧Ｖthを減じた電位に向かって、第２ノードＮＤ2の電位は変化する。即ち、浮遊状態の第２ノードＮＤ2の電位が上昇する。そして、駆動トランジスタＴＲDのゲート電極とソース領域との間の電位差がＶthに達すると、駆動トランジスタＴＲDがオフ状態となる。具体的には、浮遊状態の第２ノードＮＤ2の電位が（ＶOfs−Ｖth＝−３ボルト）に近づき、最終的に（ＶOfs−Ｖth）となる。ここで、上述した式（２）が保証されていれば、云い換えれば、式（２）を満足するように電位を選択、決定しておけば、発光部ＥＬＰが発光することはない。【０１２９】
この［期間−ＴＰ（２）2］にあっては、第２ノードＮＤ2の電位は、最終的に、（ＶOfs−Ｖth）となる。即ち、駆動トランジスタＴＲDの閾値電圧Ｖth、及び、駆動トランジスタＴＲDのゲート電極を初期化するための電圧ＶOfsのみに依存して、第２ノードＮＤ2の電位は決定される。そして、発光部ＥＬＰの閾値電圧Ｖth-ELとは無関係である。【０１３０】
［期間−ＴＰ（２）3］（図９Ｅ参照）
次に、駆動トランジスタＴＲDに対する書込み処理、及び、駆動トランジスタＴＲDの移動度μの大小に基づく駆動トランジスタＴＲDのソース領域（第２ノードＮＤ2）の電位の補正（移動度補正処理）を行う。具体的には、書込みトランジスタＴＲWのオン状態を維持したまま、データ線ＤＴＬの電位を、発光部ＥＬＰにおける輝度を制御するための映像信号ＶSigとする。その結果、第１ノードＮＤ1の電位はＶSigへと上昇し、駆動トランジスタＴＲDはオン状態となる。尚、書込みトランジスタＴＲWを、一旦、オフ状態とし、データ線ＤＴＬの電位を、発光部ＥＬＰにおける輝度を制御するための映像信号ＶSigに変更し、その後、走査線ＳＣＬをハイレベルとすることによって、書込みトランジスタＴＲWをオン状態とすることで、駆動トランジスタＴＲDをオン状態としてもよい。【０１３１】
５Ｔｒ／１Ｃ駆動回路において説明したと異なり、駆動トランジスタＴＲDのドレイン領域には電源部２１００から電位ＶCC-Hが印加されているので、駆動トランジスタＴＲDのソース領域の電位は上昇する。所定の時間（ｔ0）が経過した後、走査線ＳＣＬをローレベルとすることによって、書込みトランジスタＴＲWをオフ状態とし、第１ノードＮＤ1（駆動トランジスタＴＲDのゲート電極）を浮遊状態とする。尚、この［期間−ＴＰ（２）3］の全時間ｔ0は、第２ノードＮＤ2の電位が（ＶOfs−Ｖth＋ΔＶ）となるように、表示装置の設計の際、設計値として予め決定しておけばよい。【０１３２】
この［期間−ＴＰ（２）3］にあっても、駆動トランジスタＴＲDの移動度μの値が大きい場合、駆動トランジスタＴＲDのソース領域における電位の上昇量ΔＶは大きく、駆動トランジスタＴＲDの移動度μの値が小さい場合、駆動トランジスタＴＲDのソース領域における電位の上昇量ΔＶは小さい。【０１３３】
［期間−ＴＰ（２）4］（図９Ｅ参照）
以上の操作によって、閾値電圧キャンセル処理、書込み処理、移動度補正処理が完了する。そして、５Ｔｒ／１Ｃ駆動回路において説明した［期間−ＴＰ（５）7］と同じ処理がなされ、第２ノードＮＤ2の電位が上昇し、（Ｖth-EL＋ＶCat）を越えるので、発光部ＥＬＰは発光を開始する。このとき、発光部ＥＬＰを流れる電流は、前述した式（５）にて得ることができるので、発光部ＥＬＰを流れる電流Ｉdsは、発光部ＥＬＰの閾値電圧Ｖth-EL、及び、駆動トランジスタＴＲDの閾値電圧Ｖthには依存しない。即ち、発光部ＥＬＰの発光量（輝度）は、発光部ＥＬＰの閾値電圧Ｖth-ELの影響、及び、駆動トランジスタＴＲDの閾値電圧Ｖthの影響を受けない。加えて、駆動トランジスタＴＲDにおける移動度μのばらつきに起因したドレイン電流Ｉdsのばらつき発生を抑制することができる。【０１３４】
そして、発光部ＥＬＰの発光状態を第（ｍ＋ｍ’−１）番目の水平走査期間まで継続する。この時点は、［期間−ＴＰ（２）-1］の終わりに相当する。【０１３５】
以上によって、第（ｎ，ｍ）番目の副画素を構成する発光素子１０の発光の動作が完了する。【０１３６】
以上、好ましい例に基づき説明したが、本発明においては駆動回路の構成はこれらの例に限定されるものではない。各例において説明した表示装置、発光素子、駆動回路を構成する各種の構成要素の構成、構造、発光部の駆動方法における工程は例示であり、適宜、変更することができる。例えば、駆動回路として図１０に示した４Ｔｒ／１Ｃ駆動回路や、図１１に示した３Ｔｒ／１Ｃ駆動回路を用いてもよい。【０１３７】
また、５Ｔｒ／１Ｃ駆動回路の動作説明においては、書込み処理と移動度補正を別個に行ったが、これに限るものではない。２Ｔｒ／１Ｃ駆動回路の動作説明と同様に、書込み処理において移動度補正処理が併せて行われる構成とすることもできる。具体的には、発光制御トランジスタＴEL_Cをオン状態とした状態で、書込みトランジスタＴSigを介して、データ線ＤＴＬから映像信号ＶSig_mを第１ノードに印加する構成とすればよい。【０１３８】
続いて、本発明の一実施形態にかかるムラ補正部１３０の構成について説明する。図１２は、本発明の一実施形態にかかるムラ補正部１３０の構成について説明する説明図である。【０１３９】
図１２に示したように、本発明の一実施形態にかかるムラ補正部１３０は、レベル検出部１６２と、ムラ補正情報記憶部１６４と、補間部１６６、１６８と、加算器１７０と、を含んで構成される。【０１４０】
レベル検出部１６２は、映像信号の電圧（レベル）を検出する。レベル検出部１６２で映像信号のレベルを検出すると、検出したレベルをムラ補正情報記憶部１６４に送る。【０１４１】
ムラ補正情報記憶部１６４は、パネル１５８に表示される画像の発光むらを補正するための情報が記憶されるものである。ムラ補正情報記憶部として、記録部１０６と同様に、表示装置１００の電源が切れている状態でも情報が消えずに格納することができるメモリを用いることが好ましい。ムラ補正情報記憶部１６４として採用するメモリとして、例えば電気的に内容を書き換えることができるＥＥＰＲＯＭを用いることが望ましい。ここで、パネル１５８に表示される画像の発光むらを補正するための情報について説明する。【０１４２】
パネル１５８に対して一様な値を有する映像信号を供給した状態で、パネル１５８の画像の表示面をビデオカメラなどの撮像手段で撮像した場合に、パネル１５８に発光むらが無いときは、当該撮像手段からは一様な値の信号を得ることができる。しかし、パネル１５８に発光むらがあるときは、当該撮像手段からは発光むらに応じて値が変化する信号を得ることになる。【０１４３】
そこで、パネル１５８が発光むらを生じているかどうかを検出するために、パネル１５８において複数の所定の輝度で発光するような映像信号をパネル１５８に対して供給する。そのような映像信号は、例えばパターン生成部１１８で生成してパネル１５８に供給してもよく、表示装置１００の外部で生成して表示装置１００に供給してもよい。ここで、表示装置１００では、パネル１５８の各画素において印加する電圧と、パネル１５８の各画素における輝度とはリニアな（線形な）関係を有しているので、映像信号の信号レベル（電圧）に比例してパネル１５８における輝度が変化することになる。【０１４４】
パネル１５８が所定の輝度で発光するような映像信号の入力を受けると、当該映像信号に従ってパネル１５８が発光する。発光したパネル１５８の表示面を撮像手段で撮像し、撮像手段で撮像したパネル１５８の表示面の画像から信号電圧を取得する。取得した信号電圧を外部の専用コンピュータ（図示せず）に入力することで、当該輝度における発光むらの補正データを得る。【０１４５】
つまり、当該輝度における発光むらの補正データとは、パネル１５８が当該輝度で表示する画像に発光むらがある場合に、パネル１５８における発光むらが無くなる様に、発光むらを生じている箇所に対して映像信号の信号レベルを補正するための補正データである。そして、このような補正データをムラ補正情報記憶部１６４に記憶しておき、記憶した補正データに基づいて映像信号の信号レベルを補正することで、パネル１５８固有の発光むらを抑えて画像を表示することができる。【０１４６】
上述したように、パネル１５８は画素を構成するＴＦＴをレーザー光で露光する工程があり、そのレーザー光による露光工程に起因して、パネル１５８の水平方向や垂直方向に筋状の発光むらを生じやすくなっている。また、パネル１５８の水平方向や垂直方向以外にも、局所的に発光むらを生じる場合もある。【０１４７】
そのため、発光むらの補正データには、パネル１５８の水平方向や垂直方向に生じる発光むらを補正する補正データと、パネル１５８の局所的に生じる発光むらを補正する補正データとが含まれる。本実施形態における表示装置１００は、水平方向や垂直方向に生じる発光むらの補正（以下「縦横補正」とも称する）と、局所的に生じる発光むらを補正する補正（以下「スポット補正」とも称する）とを組み合わせて補正することを特徴とする。【０１４８】
以上、発光むらを補正するための情報について説明した、なお、縦横補正とスポット補正の詳細については後述する。【０１４９】
補間部１６６、１６８は、補間によって映像信号を補正するための補正信号を生成するものである。補間部１６６、１６８によって生成された補正信号を用いて映像信号を補正することによって、パネル１５８における発光むらを補正する。【０１５０】
ここで、補間部１６６と補間部１６８との違いは、補間部１６６が縦横補正によって発光むらを補正する際に補正信号を生成するものであり、補間部１６８はスポット補正によって発光むらを補正する際に補正信号を生成するものである。縦横補正とスポット補正のどちらを用いて発光むらを補正するか、また、縦横補正とスポット補正の両方を用いて発光むらを補正するかは、パネル１５８に生じている発光むらの状態によって、ムラ補正情報記憶部１６４に補正情報を記録する際に指定してもよい。【０１５１】
加算器１７０は、補間部１６６、１６８で生成された補正信号と、ムラ補正部１３０に入力された映像信号とを加算するものである。補間部１６６、１６８で生成された補正信号と、ムラ補正部１３０に入力された映像信号とが加算されることで、パネル１５８における発光むらを補正することができる。【０１５２】
以上、本発明の一実施形態にかかるムラ補正部１３０の構成について説明した。次に、本発明の一実施形態にかかる表示装置１００における発光むらの補正方法について説明する。【０１５３】
図１３は、本発明の一実施形態にかかる、表示装置１００における発光むらの補正方法の概念について説明する説明図である。本実施形態にかかる表示装置１００においては、３つの輝度でパネル１５８に画像を表示することで発光むらを検出し、発光むらを補正する補正データを得て、発光むらを補正する。発光むらを検出するための輝度を、輝度の低い順にＬ１、Ｌ２、Ｌ３とする。そして、上述したようにパネル１５８に印加する電圧と輝度とはリニアな関係を有している。そこで、輝度Ｌ１に対応する電圧をＶ１、Ｌ２に対応する電圧をＶ２、Ｌ３に対応する電圧をＶ３とする。もちろん本発明においては、補正データを得るための輝度は３つに限られない。また、本実施形態では、輝度Ｌ３をほぼ中間の輝度に設定することとするが、もちろん本発明においては輝度の設定はかかる例に限られない。【０１５４】
それぞれの輝度に対応する信号レベルを有する映像信号をパネル１５８に与え、上述のようにパネル１５８に表示された画像をビデオカメラなどの撮像手段で撮像して、パネル１５８の発光むらを検出する。【０１５５】
パネル１５８の製造工程に起因して生じる発光むらには、パネル１５８の水平方向や垂直方向に生じる筋状の発光むらと、パネル１５８の局所的に生じる発光むらとがある。パネル１５８の水平方向や垂直方向に生じる筋状の発光むらを補正するには縦横補正が適している。しかし、パネル１５８の局所的に生じる発光むらを補正するには縦横補正だけでは補正しきれない。従って、パネル１５８の局所的に生じる発光むらを補正するには、パネル１５８の表示面に対して格子状に検出点を設けて補正（以下「格子型補正」とも称する）する必要がある。【０１５６】
ここで、格子型補正を用いる場合には、格子の目を細かくすればする程、局所的に生じる発光むらを完全に補正することができる。しかし、格子型補正では格子の各交点について補正データを保持する必要があるため、格子の目を細かくする程、ムラ補正情報記憶部１６４で記憶しておかなければいけない補正データが増大する。従って、限られたメモリ容量では格子型補正を行う場合の格子の目の細かさに制限が生じる。また格子の目を細かくする程、ムラ補正部１３０におけるむら補正に要する時間も増える。【０１５７】
そこで、本発明の一実施形態にかかる表示装置１００における発光むらの補正方法では、図１４Ａに示したような画面全面を処理領域としていた従来の格子型補正に対し、図１４Ｂに示したような発光むらが生じている特定領域のみに処理領域を絞ってスポット補正を行うことを特徴としている。このように特定領域のみに処理領域を絞ってスポット補正を行うことで、メモリ容量が限られていても格子の目を細かくすることができて、発光むらをより補正することができる。【０１５８】
図１５は、本発明の一実施形態にかかる表示装置１００における発光むらの補正方法による発光むらの補正について、グラフを用いて説明する説明図である。横軸はパネル１５８に入力される映像信号の信号レベル（電圧）を、縦軸はパネル１５８で出力される画像の輝度を示している。【０１５９】
符号１７２で示した線は、発光むらが生じている箇所における、発光むらの検出によって推定される入出力特性の一例を示している。また符号１７４で示した線は、発光むらが生じていない場合における入出力特性の一例を示している。【０１６０】
このように、パネル１５８に発光むらが生じている場合には、発光むらを生じている箇所は本来の入出力特性より低い輝度で発光する。この低い輝度で発光している箇所を本来の輝度で発光するように、ムラ補正部１３０において映像信号の信号レベルを調節する。【０１６１】
本発明の一実施形態にかかる表示装置１００における発光むらの補正方法では、パネル１５８に生じている発光むらを、縦横補正とスポット補正とを適宜組み合わせることによって補正することを特徴とする。ここで、縦横補正によって補正する場合の補正データと、スポット補正によって補正する補正データについて、詳細に説明する。【０１６２】
縦横補正によって発光むらを補正する場合には、水平方向に対して補正する補正データと垂直方向に対して補正するデータとを作成する。水平方向に対して補正する補正データは、パネル１５８を水平方向に一様な輝度に補正するためのデータを、全ての水平線において平均して得られるデータである。同様に、垂直方向に対して補正する補正データは、パネル１５８を垂直方向に一様な輝度に補正するためのデータを、全ての垂直線において平均して得られるデータである。【０１６３】
ここで、縦横補正について詳細に説明する。縦横補正は、パネル１５８の水平および垂直方向に発生した発光むらを補正するものである。縦横補正は、複数個の水平方向および垂直方向の補正データによって補正する。水平方向および垂直方向の補正データは等間隔に設定してもよい。例えば、パネル１５８の水平方向の水平方向のピクセル数が９６０ピクセル、垂直方向のピクセル数が５４０ピクセルであった場合に、３２ピクセル間隔で補正データを設定することもできる。【０１６４】
本実施形態にかかる水平方向の補正データは、パネル１５８に対して複数の水平線を想定した場合に、当該水平線を水平方向に一様な輝度に補正するための補正データを、全ての水平線で平均した補正データである。また、本実施形態にかかる垂直方向の補正データは、パネル１５８に対して複数の垂直線を想定した場合に、当該垂直線を垂直方向に一様な輝度に補正するための補正データを、全ての垂直線で平均した補正データである。【０１６５】
水平方向の発光むらの補正は、水平走査位置に関わらず、垂直走査位置に対応した垂直方向の補正データをムラ補正情報記憶部１６４から繰り返し読み出すことによって行う。その結果、水平方向の筋状の発光むらを補正することができる。同様に、垂直方向の発光むらの補正は、垂直走査位置に関わらず、水平走査位置に対応した水平方向の補正データをムラ補正情報記憶部１６４から繰り返し読み出すことによって行う。その結果、垂直方向の筋状の発光むらを補正することができる。【０１６６】
一方、スポット補正によって発光むらを補正する場合には、発光むらが生じている領域に対して格子状に検出点を設けて、当該検出点における輝度を発光むらが生じていない場合の輝度に補正するためのデータを、全ての検出点（格子点）において作成する。このように輝度を補正するためのデータを作成することで、画面上の一部の領域に生じている発光むらを抑えて一様な輝度で画像を表示することができる。【０１６７】
ここで、スポット補正による補正方法について、詳細に説明する。図１６は、本発明の一実施形態にかかるパネル１５８に部分的に生じた発光むらを、スポット補正によって補正する場合について説明する説明図である。【０１６８】
スポット補正によって補正する補正領域の左上の座標を（Ｘ１，Ｙ１）、右下の座標を（Ｘ２，Ｙ２）とする。また、スポット補正を行う際の格子の横幅をｈｗｉｄ、縦幅をｖｗｉｄとする。ここで、ｈｗｉｄおよびｖｗｉｄの値は２のべき乗であることが望ましい。【０１６９】
図１６に示した補正領域における補正点（格子の各交点を指す）の数は、補正領域の横幅をｈｓｉｚｅ（＝Ｘ２−Ｘ１＋１）、縦幅をｖｓｉｚｅ（＝Ｙ２−Ｙ１＋１）とすると、以下の数式１のように表される。
｛（ｈｓｉｚｅ／ｈｗｉｄ）＋１｝×〔｛（ｖｓｉｚｅ／ｖｗｉｄ）／２｝＋１〕
・・・（数式１）【０１７０】
本実施形態においては、数式１において、（ｈｓｉｚｅ／ｈｗｉｄ）および（ｖｓｉｚｅ／ｖｗｉｄ）は、それぞれ切り上げて整数にしたものを用い、｛（ｖｓｉｚｅ／ｖｗｉｄ）／２｝は切り捨てて整数にしたものを用いる。そして、本実施形態においては、この数式１で求められる値が所定の値以下となるように、また補正領域における発光むらの状態に応じてｈｗｉｄおよびｖｗｉｄの値を決定する。【０１７１】
この様に、補正領域における発光むらの状態に応じてｈｗｉｄおよびｖｗｉｄの値を決定することで、パネル１５８に局所的に生じた発光むらを、スポット補正を用いて効果的に補正することができる。【０１７２】
以上、スポット補正による補正方法について説明した。なお、スポット補正を行う場合における格子の横幅、縦幅は、縦横補正を行う場合における水平線や垂直線の間隔と等しくてもよく、縦横補正を行う場合における水平線や垂直線の間隔より狭くてもよい。スポット補正を行う場合における格子の横幅および縦幅は、パネル１５８の発光むらを効果的に補正するために、縦横補正を行う場合における水平線や垂直線の間隔より狭い方が望ましい。【０１７３】
こうして求められた、発光むらを補正するための補正データをムラ補正情報記憶部１６４に記憶する。そして、映像信号がムラ補正部１３０に入力されると、ムラ補正情報記憶部１６４に記憶した補正データを用いて映像信号の信号レベルを補正し、出力する。【０１７４】
ムラ補正情報記憶部１６４に記憶した補正データを用いて映像信号の信号レベルを補正する方法について、より詳細に説明する。【０１７５】
レベル検出部１６２で映像信号の信号レベル（電圧）を検出すると、検出した信号レベルをムラ補正情報記憶部１６４に送る。ムラ補正情報記憶部１６４では、レベル検出部１６２が検出した信号レベルに対応し、かつ当該映像信号の走査位置に対応する補正データが読み出される。【０１７６】
例えば、本実施形態では発光むらを検出する輝度をＬ１、Ｌ２、Ｌ３の３種類に設定しているが、映像信号の信号レベルが輝度Ｌ１に対応する電圧Ｖ１未満である場合には、輝度Ｌ１における補正データがムラ補正情報記憶部１６４から読み出される。そして、縦横補正を行う場合には補間部１６６に、スポット補正を行う場合には補間部１６８に補正データを送る。【０１７７】
補間部１６６には、レベル検出部１６２で検出した映像信号の信号レベルの情報と、ムラ補正情報記憶部１６４から読み出された補正データとが入力され、当該信号レベルにおける、縦横補正を行う際の補正データが補間によって生成される。同様に、補間部１６８にもレベル検出部１６２で検出した映像信号の信号レベルの情報と、ムラ補正情報記憶部１６４から読み出された補正データとが入力され、当該信号レベルにおける、スポット補正を行う際の補正データが補間によって生成される。【０１７８】
補間部１６６、１６８で生成された補正データは、それぞれ加算器１７０に入力され、映像信号との加算処理が行われる。この様に加算によって補正することで、発光むらが生じている箇所の輝度が、他の発光むらが生じていない箇所との輝度を均一になるように補正することが出来る。【０１７９】
同様に、映像信号の信号レベルが輝度Ｌ１に対応する電圧Ｖ１以上、輝度Ｌ１に対応する電圧Ｖ２未満である場合には、輝度Ｌ１における補正データと輝度Ｌ２における補正データとがムラ補正情報記憶部１６４から読み出され、これらの補正データから補間部１６６、１６８においてそれぞれ補間によって補正データが生成される。【０１８０】
また、映像信号の信号レベルが輝度Ｌ２に対応する電圧Ｖ２以上、輝度Ｌ３に対応する電圧Ｖ３未満である場合には、輝度Ｌ２における補正データと輝度Ｌ３における補正データとがムラ補正情報記憶部１６４から読み出され、これらの補正データから補間部１６６、１６８においてそれぞれ補間によって補正データが生成される。【０１８１】
そして、映像信号の信号レベルが輝度Ｌ３に対応する電圧Ｖ３以上である場合には、輝度Ｌ３における補正データがムラ補正情報記憶部１６４から読み出され、当該補正データから補間部１６６、１６８においてそれぞれ補間によって補正データが生成される。【０１８２】
このように生成された補正データは、同様にそれぞれ加算器１７０に入力され、映像信号との加算処理が行われることで、発光むらを補正することができる。【０１８３】
以上、本発明の一実施形態にかかる表示装置１００における発光むらの補正方法について説明した。【０１８４】
なお、縦横補正とスポット補正のどちらを使用して、または縦横補正とスポット補正の両方を使用してむら補正を行うかは、補正データを登録する際にムラ補正部１３０に設定してもよく、画面上のむらのうねりの幅や色の度合いを解析することで、ムラ補正部１３０において判断を行ってもよい。【０１８５】
以上説明したように、本発明の一実施形態によれば、縦横補正とスポット補正とを組み合わせて発光むらを補正することで、パネル１５８の製造工程に起因する発光むらを抑えて、パネル１５８に画像を表示することができる。そして、スポット補正においてはパネル１５８の全面において行うのではなく、発光むらが生じている領域に対して行うことで、限られたメモリ容量を有していても、検出点を細かく設けることが可能となり、パネル１５８の局所的に生じた発光むらを補正して、パネル１５８に画像を表示することができる。【０１８６】
また、本発明の一実施形態によれば、リニア特性を有する映像信号に対して信号処理を施して発光むらの補正を行うことで、ガンマ特性を有する映像信号に比べて発光むらの検出面の数が少なく済む。そのため、発光むらを補正するための補正データの記憶容量を少なく抑えることができるので、表示装置１００のコスト削減に繋がる。そして、ムラ補正部１３０に対して輝度値の絶対値を入力すればよいので、ムラ補正部１３０における補正も容易に行うことができる。【０１８７】
なお、上述した本発明の一実施形態にかかるむら補正方法は、表示装置１００の内部の記録媒体（例えば記録部１０６）に予め本発明の一実施形態にかかるむら補正方法を実行するように作成されたコンピュータプログラムを記録しておき、当該コンピュータプログラムを演算装置（例えば制御部１０４）が順次読み出して実行することによって行ってもよい。【０１８８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。【０１８９】
例えば、むらを補正する際において、黒側（低階調側）に対しては補正しないようにしてもよい。リニア空間でむらを補正しているため、黒側の精度が非常に敏感であり、またリニア空間のビット数の制限により、黒側がリニア空間から外れてしまうからである。【０１９０】
図１７は、低階調側に対してはむら補正を行わないようにしたムラ補正部１３０’の構成について説明する説明図である。図１７に示したムラ補正部１３０’は、図１２に示したムラ補正部１３０と比較して、レベル検出部１６２の前段に低階調側遮断部１６１を設けている。低階調側遮断部１６１は、ムラ補正部１３０’が受け取った映像信号に対して低階調側を遮断する処理を行って、レベル検出部１６２に送るものである。【０１９１】
図１８Ａは、低階調側に対してもむら補正を行う場合におけるむら補正の様子を概念的に示す説明図であり、符号１８２で示した線は量子化誤差のある補正量を、符号１８４で示した線は理想的な補正量を示している。図１８Ｂは、低階調側遮断部１６１を設けることで低階調側に対してはむら補正を行わないようにした場合におけるむら補正の様子を概念的に示す説明図であり、符号１８３で示した線は量子化誤差のある補正量を、符号１８４で示した線は理想的な補正量を示している。【０１９２】
図１８Ａに示した場合においては、量子化誤差のある補正量と理想的な補正量との間にある誤差が低階調側に位置しており、リニア空間でむらを補正しているため、両者の間の誤差がパネル１５８で映像を映した際に見えてしまう可能性がある。一方、図１８Ｂに示した場合においては、量子化誤差のある補正量と理想的な補正量との間にある誤差が、図１８Ａの場合よりも高階調側にシフトしており、両者の間の誤差がパネル１５８で映像を映した際にも目に見えなくなるという効果を奏する。
【図１】
2009008497.tif 000003
【図２Ａ】
2009008497.tif 000004
【図２Ｂ】
2009008497.tif 000005
【図２Ｃ】
2009008497.tif 000006
【図２Ｄ】
2009008497.tif 000007
【図２Ｅ】
2009008497.tif 000008
【図２Ｆ】
2009008497.tif 000009
【図３】
2009008497.tif 000010
【図４】
2009008497.tif 000011
【図５】
2009008497.tif 000012
【図６Ａ】
2009008497.tif 000013
【図６Ｂ】
2009008497.tif 000014
【図６Ｃ】
2009008497.tif 000015
【図６Ｄ】
2009008497.tif 000016
【図６Ｅ】
2009008497.tif 000017
【図６Ｆ】
2009008497.tif 000018
【図６Ｇ】
2009008497.tif 000019
【図６Ｈ】
2009008497.tif 000020
【図６Ｉ】
2009008497.tif 000021
【図７】
2009008497.tif 000022
【図８】
2009008497.tif 000023
【図９Ａ】
2009008497.tif 000024
【図９Ｂ】
2009008497.tif 000025
【図９Ｃ】
2009008497.tif 000026
【図９Ｄ】
2009008497.tif 000027
【図９Ｅ】
2009008497.tif 000028
【図９Ｆ】
2009008497.tif 000029
【図１０】
2009008497.tif 000030
【図１１】
2009008497.tif 000031
【図１２】
2009008497.tif 000032
【図１３】
2009008497.tif 000033
【図１４Ａ】
2009008497.tif 000034
【図１４Ｂ】
2009008497.tif 000035
【図１５】
2009008497.tif 000036
【図１６】
2009008497.tif 000037
【図１７】
2009008497.tif 000038
【図１８Ａ】
2009008497.tif 000039
【図１８Ｂ】
2009008497.tif 000040
【国際調査報告】
2009008497.tif 000041
2009008497.tif 000042
2009008497.tif 000043
2009008497.tif 000044